(57)【要約】【課題】  撮影された映像を通常再生し、モニタで映像を鑑賞する際に、再生画像の品質を低下させることなく、撮影時の情報を再生画像と組み合わせて表示する。【解決手段】  本発明の映像再生装置において、コントローラー５は、サブコードブロック２により撮影に関連する付加情報を、ビットマップ画像データベース７に記憶された動画像または静止画像を用いた基礎情報に基づいて生成する。そして、この動画像または静止画像を用いた基礎情報に基づいて生成された付加情報を、映像・音声制御ブロック１により再生される映像に対して撮影に関係する時点で合成する。この合成は画像処理ブロック８により行われる。【選択図】        図１
2006180232.tif 000002
【特許請求の範囲】
【請求項１】
撮影手段により撮影された映像を再生手段により再生して付加情報と共に出力することができる映像再生装置において、
上記付加情報を生成するために、動画像または静止画像を用いた基礎情報を記憶する基礎情報記憶手段と、
上記撮影手段による撮影に関連する付加情報を、上記基礎情報記憶手段に記憶された動画像または静止画像を用いた基礎情報に基づいて生成する付加情報生成手段と、
上記付加情報生成手段により動画像または静止画像を用いた基礎情報に基づいて生成された付加情報を、上記再生手段により再生される映像に対して、上記撮影に関連する時点で合成する合成手段と
を備えたことを特徴とする映像再生装置。
【請求項２】
請求項１記載の映像再生装置において、
上記付加情報生成手段は、上記再生手段に用いる日付時刻情報から上記撮影に関連する動画像または静止画像を用いた基礎情報に基づいて付加情報を生成することを特徴とする映像再生装置。
【請求項３】
請求項１記載の映像再生装置において、
上記付加情報生成手段は、上記再生手段に用いる映像のシーンの切れ目情報から上記撮影に関連する動画像または静止画像を用いた基礎情報に基づいて付加情報を生成することを特徴とする映像再生装置。
【請求項４】
請求項１記載の映像再生装置において、
上記基礎情報記憶手段は、文字情報を記憶する文字情報記憶部と、画像情報を記憶する画像情報記憶部を有し、文字情報及び／又は画像情報を動画像または静止画像として記憶することを特徴とする映像再生装置。
【請求項５】
請求項１記載の映像再生装置において、
上記付加情報生成手段は、複数の層に重ね合わせた画像を最上層から順次連続して動いたり、めくるようにして動画像として付加情報を生成することを特徴とする映像再生装置。
【請求項６】
請求項１記載の映像再生装置において、
上記合成手段は、上記動画像を用いた付加情報を、上記再生される映像に対して、上記撮影に関連する時点から予め定められた一定期間だけ合成することを特徴とする映像再生装置。
【請求項７】
請求項１記載の映像再生装置において、
上記付加情報生成手段は、上記基礎情報記憶手段に設けられる文字情報記憶部と画像情報記録部に記憶された情報から、文字情報及び／又は画像情報を用いて、リアルタイムに静止画や間欠静止画や動画を積層して付加情報を生成し、上記合成手段は、上記再生される映像に対して、上記撮影に関連する時点から予め定められた一定期間だけ合成することを特徴とする映像再生装置。
【請求項８】
請求項１記載の映像再生装置において、
上記合成手段は、上記動画像または静止画像を用いた基礎情報に基づいて生成された付加情報を上記再生される映像に対して合成する処理が予め選択されているときにのみ、上記合成の処理をすることを特徴とする映像再生装置。
【請求項９】
撮影された映像を再生して付加情報と共に出力することができる映像再生方法において、
上記付加情報を生成するために、動画像または静止画像を用いた基礎情報を記憶する基礎情報記憶ステップと、
上記撮影に関連する付加情報を、上記基礎情報記憶ステップで記憶された動画像または静止画像を用いた基礎情報に基づいて生成する付加情報生成ステップと、
上記付加情報生成ステップにより動画像または静止画像を用いた基礎情報に基づいて生成された付加情報を、上記再生される映像に対して、上記撮影に関連する時点で合成する合成ステップと
を備えたことを特徴とする映像再生方法。
【請求項１０】
請求項９記載の映像再生方法において、
上記付加情報生成ステップは、上記再生に用いる日付時刻情報から上記撮影に関連する動画像または静止画像を用いた基礎情報に基づいて付加情報を生成することを特徴とする映像再生方法。
【請求項１１】
請求項９記載の映像再生方法において、
上記付加情報生成ステップは、日付時刻情報や上記再生に用いる映像のシーンの切れ目情報から上記撮影に関連する動画像または静止画像を用いた基礎情報に基づいて付加情報を生成することを特徴とする映像再生方法。
【請求項１２】
請求項９記載の映像再生方法において、
上記基礎情報記憶ステップは、文字情報を記憶すると共に、画像情報を記憶する際に、文字情報及び／又は画像情報を動画像または静止画像として記憶することを特徴とする映像再生方法。
【請求項１３】
請求項９記載の映像再生方法において、
上記付加情報生成ステップは、複数の層に重ね合わせた画像を最上層から順次連続して動いたり、めくるようにして動画像として付加情報を生成することを特徴とする映像再生方法。
【請求項１４】
請求項８記載の映像再生方法において、
上記合成ステップは、上記動画像を用いた付加情報を、上記再生される映像に対して、上記撮影に関連する時点から予め定められた一定期間だけ合成することを特徴とする映像再生方法。
【請求項１５】
請求項９記載の映像再生方法において、
上記付加情報生成ステップは、上記基礎情報記憶ステップにおいて記憶された文字情報と画像情報から、文字情報及び／又は画像情報を用いて、リアルタイムに静止画や間欠静止画や動画を積層して付加情報を生成し、上記合成ステップは、上記再生される映像に対して、上記撮影に関連する時点から予め定められた一定期間だけ合成することを特徴とする映像再生方法。
【請求項１６】
請求項９記載の映像再生方法において、
上記合成ステップは、上記動画像または静止画像を用いた基礎情報に基づいて生成された付加情報を上記再生される映像に対して合成する処理が予め選択されているときにのみ、上記合成の処理をすることを特徴とする映像再生方法。
【発明の詳細な説明】
【技術分野】
【０００１】
本発明は、例えば、カメラで撮影されて、記録媒体に記録された映像を再生する映像再生装置及び映像再生方法に関する。
【背景技術】
【０００２】
近年、ビデオカメラ、デジタルスチルカメラといった電子機器には、様々な機能が盛り込まれ、またその機能の数は年々増して行く傾向にある。記録媒体としても磁気テープや光／光磁気ディスク、ハードディスク、メモリーカード等の多様性を増しながら、動画や音声を長時間記録し、再生して楽しむための機能が増してきている。
【０００３】
ユーザーの使い方として、１つの記録媒体、例えば６０分記録可能な磁気テープを用いる際、１日ではテープ全長分は撮影しきれず、複数の日付にまたがって撮影を行なうことがあった。例えば７日間に渡る旅行中に１本のテープに順次記録することもよくある使用例である。また２週間に一度５分程度の撮影を行うようなユーザーであれば、半年に渡って１本のテープを使い続けることになる。
【０００４】
このような撮影形態で撮影したテープを、撮影後に再生して鑑賞する場合、１本のテープの中で、ある映像シーンがいつ撮影した分なのか分かりにくいことが多い。特に再生映像の変化から撮影日が明らかに変わっていると分かる場合でも、具体的な日付や時刻を思い出せないケースも多く、ユーザーとしては何とも言えないストレスを感じる。したがって、ユーザーの利便性の観点から考えて、日付や時刻が再生画面上で確認できることが望まれていた。
【０００５】
そのため、従来から、記録フォーマットとして映像・音声データ領域とは別に、サブコードのようなデータ領域を確保しておき、そこに日付や日時のデータを記録することが行われている。
【０００６】
例えば、図６に示すように、再生画面Ｖ１１上には、基本的には日付や時刻を表示していないので、日付が切り替わっても、つまり撮影日が異なる記録部分に再生箇所が移っても、ユーザーには日付の変化は見えなかった。しかし、サブコード等の領域に記録済みである日付や日時のデータを呼び出し、キャラクター表示として再生画面の一部に常時重畳することにより、図７に示すように再生画面Ｖ１１上に再生日付や時刻の情報７１を表示することができる。また、図８に示すように、番号８２で示す２７日までの再生画面Ｖ２１、Ｖ２２上に再生日付や時刻の情報８４，８５を表示し、日付変更点８１以降の番号８３で示す２８日までの再生画面Ｖ２３、Ｖ２４、Ｖ２５上に再生日付や時刻の情報８６，８７，８８を表示することにより、ユーザーが再生しながら日付や時刻の情報を知るという仕組みが実現されていた。
【０００７】
また、日付サーチモード実行時において、サーチが終ったときに１秒だけ日付を表示し、再度消すという技術も提案されている（例えば、特許文献１を参照。）。この特許文献１に記載の技術は、日付サーチ中にも、日付表示することができ（［００８０］参照）、これにより、テープのあちこちに記録された映像の検索作業の簡略化を目指すものである（［００８６］参照）。
【特許文献１】特開平１１−３３９４４４号公報
【発明の開示】
【発明が解決しようとする課題】
【０００８】
しかしながら、上述した図６、図７、図８に示した従来の技術においては、映像を撮影するビデオカメラの日付時刻表示オン／オフ切り替えスイッチのオン／オフを操作しない限り、一度表示させた日付や時刻の情報は常時表示されたままとなってしまう。このため、上述した従来の技術では、再生時に再生画面上に常時日付や時刻を表示しておかなければならず、この結果、本来鑑賞したい再生画像を汚して見せることにもつながることになる。すなわち、再生画像の品質が低下し、ユーザーに別のストレスが発生し得ることになるという不都合があった。
【０００９】
またキャラクターデータ／文字のデータを定常的に表示する手法では、日付が変わる前後で似たような画像が続くケースにおいては、その日付の変わり目に気付きにくいという欠点が有った。
【００１０】
また、特許文献１に記載のものは、検索性の向上のため文字表示を行うものであるが、付加画像がキャラクターデータ、つまり文字データであるため、デザイン性の観点からは表現に乏しいという問題がある。
このような状況の中で、撮影した日付や時刻を知りたい要求、常時は表示させたくないという要求、そして、日付の変わり目を明確に知りたいという要求、更に、より表現力豊かな表示をしたいという要求など、さまざまな要求を満たすことが重要視されてきている。
【００１１】
そこで、本発明は、撮影された映像が記録された記録媒体を通常再生し、モニタで映像を鑑賞するような状況において、再生画像の品質を低下させることなく、撮影時の情報を再生画像と組み合わせて表示することを目的とするものである。
【課題を解決するための手段】
【００１２】
上記課題を解決し、本発明の目的を達成するため、本発明の映像再生装置は、付加情報を生成するために、動画像または静止画像を用いた基礎情報を記憶する基礎情報記憶手段と、撮影手段による撮影に関連する付加情報を、基礎情報記憶手段に記憶された動画像または静止画像を用いた基礎情報に基づいて生成する付加情報生成手段と、付加情報生成手段により動画像または静止画像を用いた基礎情報に基づいて生成された付加情報を、再生手段により再生される映像に対して、撮影に関連する時点で合成する合成手段とを備えたものである。
【００１３】
この付加情報生成手段は、基礎情報記憶手段に蓄積される動画像または静止画像を用いた基礎情報に基づいて記録媒体に記録済みである撮影日時の付加情報を生成する。そして、合成手段が、動画像または静止画像を用いた基礎情報に基づいて生成された付加情報を、再生手段により再生される映像に組み合わせて表示するようにしている。これにより、例えば日付が変わったシーンでデータベースに蓄えたテンプレート画像・アニメーション等により日付を再生画像と組み合わせて表示することができ、映像再生中のユーザーに対して日付の変わり目を容易に知らせることができる。
【００１４】
また、本発明の映像再生方法は、付加情報を生成するために、動画像または静止画像を用いた基礎情報を記憶する基礎情報記憶ステップと、撮影に関連する付加情報を、基礎情報記憶ステップで記憶された動画像または静止画像を用いた基礎情報に基づいて生成する付加情報生成ステップと、付加情報生成ステップにより動画像または静止画像を用いた基礎情報に基づいて生成された付加情報を、再生される映像に対して、撮影に関連する時点で合成する合成ステップとを備えたものである。
【００１５】
上述の付加情報生成ステップにおいては、基礎情報記憶ステップで蓄積される動画像または静止画像を用いた基礎情報に基づいて記録媒体に記録済みである撮影日時の付加情報を生成し、この動画像または静止画像を用いた基礎情報に基づいて生成された付加情報を、再生される映像に対して、合成ステップにおいて合成して、再生手段により再生される映像に組み合わせて表示するようにしている。これにより、映像再生時に、撮影日付や日時等の情報をユーザーに容易に通知することができるとともに、単純な付加情報としてだけではなく、テンプレート画像・アニメーション等により日付を再生画像と組み合わせて表現力豊かに演出して通知することを可能とする。この際、日付の変わり目をユーザーに容易に通知したり、使用するアニメーション画像等を、ユーザーが嗜好に応じて選択可能としたりして、上述したユーザーのさまざまな要求を満たすことができる。
【発明の効果】
【００１６】
本発明によれば、撮影された映像が記録された記録媒体を全長に渡って通常再生し、モニタで映像を鑑賞する際に、再生画像の品質を低下させることなく、撮影時の情報を再生画像と組み合わせて表示することができる。例えば、撮影された映像の再生中に、撮影日付や時間等の情報をテキストベースの単なる付加情報としてではなく、ビットマップ静止画やアニメーション等を用いて、ユーザーに対して容易で表現力豊かな形態で通知することができる。
【００１７】
特に、撮影された映像の日付の変わり目について、ビットマップ静止画やアニメーション等を用いて、自動的にかつユーザーに対して容易に通知することができる。
さらに、規定の時間が経過した後は、カレンダー画像を消すことで、本来の再生画像を汚す時間を最低限に抑えることができる。
【発明を実施するための最良の形態】
【００１８】
本発明の実施の形態は、撮影時にサブコードの様な領域に記録された日付や時刻のデータを再生時に利用することに加え、別途格納されているカレンダーの画像情報を組み合わせることで、日付の変わり目を美しく効果的にユーザーに知らせると共に、前述の表示をある時間だけ表示した後には自動的に消すことによって、再生画像の邪魔にならないようにすることを可能とするものである。
【００１９】
カレンダーの画像情報としては、ビットマップ静止画や平面（２Ｄ）、立体（３Ｄ）のアニメーション等を使うことにより、表現力豊かなものにすることができる。
なお、本発明の実施の形態は、ビデオカメラやデジタルスチルカメラといった携帯用機器に留まらず、ビデオデッキ、ＤＶＤプレーヤー、ＤＶＤレコーダー、ハードディスクレコーダー／プレーヤーをはじめとする据え置き型の映像再生装置全般で有用である。
【００２０】
以下、本発明の実施の形態の例を、適宜、図面を用いながら詳細に説明する。
まず、ハードウェア構成について説明する。
図１は、本例の映像再生装置のハードウェア構成を示したブロック図である。
図１において、ユーザーは各種項目設定スイッチ３を用いて、機能の種類及びその機能のオン／オフを選択して設定することができる。例えば日付時刻表示機能のオン／オフを設定することができる。なお各種項目設定スイッチ３には、表示ブロック９に付属させたタッチパネルを用いることも可能である。
【００２１】
映像・音声制御ブロック１は、記録媒体に記録されている撮影された映像や音声を再生する動作を制御するものである。ここでは、例えば、圧縮して記録媒体に記録されている映像の伸張処理などが行われる。また、サブコードブロック２は、記録媒体に記録されている、撮影された映像の日付・日時情報等を再生利用する動作を制御するブロックであり、このブロックで、例えば、カメラ制御値や映像のフレーム数も検出される。
また、暦・時計制御ブロック４は、暦や時分秒などをカウントする機能を備えている。
コントローラー５は、各ブロックや後述するデータベースの統合制御を行う。このコントローラー５には、例えば、ＲＯＭ、ＲＡＭ等のメモリ機能も含めることができる。
【００２２】
また、本例のデータベースとして、キャラクターデータベース６とビットマップ画像データベースが設けられている。
キャラクターデータベース６は、再生映像に対して、重畳するための暦や時分秒などの文字情報が静止画像や動画像として格納されるデータベースであり、ビットマップ画像データベース７は、暦や日時のデータと組み合わせて再生画面に重畳するための、静止画像や動画像の画像データが格納されるデータベースである。このビットマップ画像データベース７の静止画像や動画像の画像データの形態を後述する画像処理ブロック８によりビットマップの静止画像や動画像のアニメーションにすることによって、表現力豊かな日付変化をユーザーに見せることができる。例えば、ある１日を大きく表示する日めくりカレンダーの形態とアニメーション動作を行わせたり、あるいは１ヶ月分を同時に表示し該当日付のみを点滅させることによって目立たせたりすることによりユーザーの要求に応じた多様な見せ方を実現することが可能である。
また、ビットマップ画像データベース７には、直接アニメーションの動画像データの形態として格納するようにしてもよい。この場合には、画像処理ブロック８における処理の負荷が減少するが、ビットマップ画像データベース７の容量を十分に確保する必要がある。
【００２３】
そして、画像処理ブロック８において、再生画像に対する、ビットマップ画像データベース７からのビットマップ画像データとキャラクターデータベース６からのキャラクターデータとの合成が行われる。
表示ブロック９は、液晶パネル、ＣＲＴ(Cathode Lay Tube)、ＥＬ(Electro Luminescence)等の表示素子を含み、合成された画像を表示することが可能である。これに対して、出力ブロック１１は、外部出力用のケーブルやネットワークへのアクセスポイントであることを指している。また、メモリブロック１０は、映像再生装置に対して着脱自在の例えば、フラッシュメモリで構成され、外部からキャラクターデータベース６に格納する文字情報、ビットマップ画像データベース７に格納するビットマップの静止画像やアニメーション画像を記憶するものである。
【００２４】
ここで、コントローラー５は、本発明の各ブロック全体を制御する制御装置であり、以下に示すような様々な機能を有している。すなわち、サブコードブロック２により得られる撮影に関連する付加情報を生成するために、動画像または静止画像を用いた基礎情報をキャラクターデータベース６、ビットマップ画像データベース７に記憶する機能、撮影手段による撮影に関連する付加情報を、キャラクターデータベース６、ビットマップ画像データベース７に記憶された動画像または静止画像を用いた基礎情報に基づいて生成する機能、更には、動画像または静止画像を用いた基礎情報に基づいて生成された上記付加情報を、映像・音声制御ブロック１により再生される映像に対して、撮影に関連する時点で画像処理ブロック８において合成する機能等を有する。
【００２５】
また、コントローラー５は、映像・音声制御ブロック１に用いる日付時刻情報から撮影に関連する上記動画像または静止画像を用いた基礎情報に基づいて付加情報を生成する機能も有するとともに、映像・音声制御ブロック１に用いる映像のシーンの切れ目情報から撮影に関連する上記動画像または静止画像を用いた基礎情報に基づいて付加情報を生成する機能も有している。
【００２６】
画像処理ブロック８に接続されるキャラクターデータベース６は、文字情報を記憶する文字情報記憶部を有し、同じく画像処理ブロック８に接続されるビットマップ画像データベース７は、画像情報を記憶する画像情報記憶部を有している。そして、このキャラクターデータベース６及び／又はビットマップ画像データベース７には、文字情報及び／又は画像情報が、動画像または静止画像を用いた基礎情報として記憶されている。
つまり、コントローラー５は、画像処理ブロック８を介して、コントローラー５の制御の下で、キャラクターデータベース６、ビットマップ画像データベース７に記憶されている動画像または静止画像を用いた基礎情報に基づいて複数層に重ね合わせた画像を、最上層から順次連続して動いたり、めくるようにして動画像として付加情報を生成する機能を備えている。そして、画像処理ブロック８が、動画像または静止画像を用いた基礎情報に基づいて生成された上記付加情報を、再生される映像に対して、撮影に関連する時点から予め定められた一定期間だけ合成するようにしている。
また、コントローラー５は、画像処理ブロック８に対する処理について、キャラクターデータベース６、ビットマップ画像データベース７に予め再生される映像に合成する動画像を記憶しておくのではなく、キャラクターデータベース６、ビットマップ画像データベース７に記憶されている画像を用いて、リアルタイムに静止画や間欠静止画や動画を合成して付加情報を生成し、再生される映像に対して、撮影に関連する時点から予め定められた一定期間だけ合成する処理を選ぶこともできる。
【００２７】
また、画像処理ブロック８において、動画像または静止画像を用いた基礎情報に基づいて生成された付加情報を再生される映像に対して合成する処理が予め選択されている場合には、コントローラー５は画像処理ブロック８を通して画像の合成処理をするための制御動作を行う。
【００２８】
図５は、画像処理ブロック中の描画プレーンの構成例を示す図である。上述した画像処理ブロック８の中に制御を司るＣＰＵと情報の一時保存場所のＲＡＭを含むように構成され、付加情報の生成を行うための描画プレーンが存在するのは、情報の一時保存場所のＲＡＭである。この情報の一時保存場所のＲＡＭは、以下に示すように複数の画像の層を積層した、例えば３つのプレーンから構成されている。
図５に示すように、画像処理ブロック８中の描画プレーンが存在する情報の一時保存場所のＲＡＭは、枠や模様などのデータの一時保存場所（ＲＡＭその１）となる背景画像データエリア５１と、１月分のカレンダーなどの静止画や動画のデータの一時保存場所（ＲＡＭその２）となるプレーン１データエリア５２と、当日分の日めくりの静止画や動画のデータが点滅するなどして一時保存場所（ＲＡＭその３）となるプレーン２データエリア５３とを有している。
例えば、画像処理ブロック８は、コントローラー５からの制御により、ビットマップ画像データベース７から読み出した複数の静止画をもとに、背景のプレーンである背景画像データエリア５１に枠や模様などを描画する。
また、画像処理ブロック８は、コントローラー５からの制御により、ビットマップ画像データベース７やキャラクターデータベース６から読み出した複数の静止画や動画をもとにして、リアルタイムにアニメーションを合成し、プレーン１データエリア５２やプレーン２データエリア５３にアニメーションを描画する。画像処理ブロック８は、コントローラー５からの制御により、プレーン１データエリア５２やプレーン２データエリア５３に複数の画像の層を積層するようにして、複数の層に重ね合わせた画像を最上層から順次連続して動いたり、めくるようにして動画像として描画してもよい。
もちろん、画像処理ブロック８は、コントローラー５からの制御により、読み出したままの静止画や動画を直接プレーン１データエリア５２やプレーン２データエリア５３に描画することも可能である。
【００２９】
次に、図２の映像再生装置の動作を示すフローチャートを用いて制御の流れを説明する。図２は、図１に示したコントローラー５の動作を説明するためのフローチャートである。
図２において、まず、図１に示したコントローラー５は、各種項目設定スイッチ３を用いてユーザーによって日付・日時情報表示の機能が選択されているか否かが判断される（ステップＳ１）。
【００３０】
次に、映像・音声制御ブロック１による磁気テープ等の記録媒体に記録されている映像・音声の再生中において、サブコードブロック２によりサブコード等のデータ、特に日付・時刻情報を記録媒体から常時復元して検出し、表示指示に応じて表示ブロック９に表示する準備を行う（ステップＳ２）。
【００３１】
続いて、コントローラー５はサブコードブロック２により検知中の日付情報において、日付が変わった箇所を検出したか否かの判断を行う（ステップＳ３）。この判断ステップＳ３において、サブコードの日付の変わり目を検出したと判断された場合は、ビットマップ画像データベース７に予め格納されている、カレンダー画像を画像処理ブロック８へ読み込ませる（ステップＳ４）。
【００３２】
次に、コントローラー５は、暦・時計制御ブロック４から送られてくる年、月、日、時、分、秒等の情報を、画像処理ブロック８へ読み込ませるとともに、画像処理ブロック８にカレンダー画像と、年、月、日等の情報を合成させる。このとき、画像処理ブロック８は、必要に応じてキャラクターデータベース６やビットマップ画像データベース７に予め格納されているカレンダー画像からリアルタイムに静止画や間欠静止画や動画を合成してカレンダーアニメーション等の付加情報を作成する（ステップＳ５）。
【００３３】
次に、コントローラー５は、映像・音声制御ブロック１により再生される磁気テープ等の記録媒体に記録されていた映像と、前述の画像処理ブロック８で生成されたアニメーション等の付加情報を画像処理ブロック８で合成させる（ステップＳ６）。そして、画像処理ブロック８で合成された画像を表示ブロック９に表示させる（ステップＳ７）。
【００３４】
ここで、コントローラー５は、再生される映像に対して、撮影日時が変わる時点でカレンダー画像のアニメーションの動きを開始するように制御する（ステップＳ８）とともに、予め定められた規定の時間、例えば３秒間経過したことを検出したがどうかを判断する（ステップＳ９）。そして、３秒間の規定時間が経過したと判断された場合は、アニメーション動作を終了させ（ステップＳ１０）、画像処理ブロック８における再生画像とアニメーションの合成を終了させる（ステップＳ１１）。
【００３５】
次に、上述した構成及び動作により再生される映像の例を説明する。
図３は、本発明による図１に示した各種項目設定スイッチ３により日付時計表示モードオフ選択時の連続再生中の日付の変わり目の映像の例を示す図である。
図３において、画像Ｖ１、Ｖ２、Ｖ３、Ｖ４、Ｖ５を再生している際、番号３２で示す１０月２７日撮影分の画像Ｖ１、Ｖ２から日付変更点３１を超えて番号３３で示す１０月２８日撮影分の画像Ｖ３、Ｖ４、Ｖ５に入っても、番号３４で示すようにカレンダー画像は非表示で、再生画面のみが表示される。
【００３６】
図４は、上記各種項目設定スイッチ３が、日付時計表示モードオンを選択したときの連続再生中の日付の変わり目の映像の例を示す図である。
図４に示すように、画像Ｖ１、Ｖ２、Ｖ３、Ｖ４、Ｖ５を再生している際、番号３２で示す１０月２７日撮影分の画像Ｖ１、Ｖ２から日付変更点３１を超えて番号３３で示す１０月２８日撮影分の画像Ｖ３、Ｖ４、Ｖ５に入ると、カレンダーデータをもとに適切な日付をカレンダー画像情報と組み合わせたカレンダー画像表示４１が、再生画面Ｖ３に重ねて表示される。ここで、カレンダー画像表示４１は、例えば、複数の画像の層を積層するようにして、複数の層に重ね合わせた画像を最上層から順次連続して動いたり、めくるようにして動画像として表示される。
【００３７】
このカレンダー画像表示４１は、一定時間、例えば３秒経過した後は、そのカレンダー画像表示４１は再生画面Ｖ４、Ｖ５から消える。
なお、各種項目設定スイッチ３を用いて、日付・時刻表示機能をオフしている場合は、図３に示すように日付が変わるシーンでもカレンダー表示を非表示にすることができ、再生画面の鑑賞を妨げないようにすることができる。
【００３８】
また、カレンダー画像データについては、映像再生装置に対して着脱自在の、例えばフラッシュメモリで構成されるメモリブロック１０により、ユーザーの嗜好に応じてデザインや動きを適宜選択して、利用することも可能である。
また、再生画像にカレンダー表示を合成した合成画像を、外部出力用のケーブルやネットワークへのアクセスポイントである出力ブロック１１を介して外部の再生装置に出力して利用することもできる。
【００３９】
本発明は、上述した本発明の実施の形態に限定されるものではなく、特許請求の範囲に記載した本発明の要旨を逸脱しない限りにおいて、適宜、変更実施することができるものである。以下、本発明の実施の形態の変形例を示す。
上述した本発明の実施の形態では、映像・音声制御ブロック１による記録媒体に記録済みの映像を再生する例を示したが、動画の連続再生時だけではなく、静止画の間欠再生時または連続再生時（一般的に言うスライドショー再生時）においても、同様に日付の変わり目において、カレンダー画像のアニメーション等を出すことにより、より美しく効果的な日付情報の提供を、画面上で行うことが可能である。
【００４０】
また、静止画と動画が混在した映像が記録された記録媒体においても同様に適用することが可能である。
また、映像・音声制御ブロック１によるテープやディスク等の物理的に容量が決まった記録媒体を本体に付属させて記録再生する場合だけではなく、いったん撮影された映像を出力ブロック１１によりネットワーク等を介して他所に記録し、それを映像・音声制御ブロック１により再度入力して再生する場合にも、同様に適用することが可能である。
【００４１】
また、ビットマップ画像データベース７に格納されているカレンダー画像データとして種々のパターンを用意しておくことにより、ユーザーは好みに合った表現のカレンダーを使うことが可能である。このとき、暦・時計制御ブロック４と連携させながら、例えば日本の元号、西暦、その他の文化事情に合わせた形態のカレンダーを表示させることも可能である。
【００４２】
また、画像処理ブロック８で合成されるカレンダー画像データと組み合わせる対象としては、年・月・日・時・分・秒にとどまらず、他の製品仕向け地等のデータを参照して曜日や国名、焦点距離、絞り値、その他の設定値、数値、用語等を選ぶことも可能である。
【００４３】
更に、ビットマップ画像データベース７に格納されているカレンダー画像データのパターンについては、ユーザーが例えばメモリブロック１０により、メモリーカードやネットワークを介するなどして外部から本体に登録して活用することも可能である。
【００４４】
また、暦・時計制御ブロック４から本体の時計に併せ持った時差補正ゾーンで分けられる地球上の時差情報を活用すれば、地球上の時差補正エリアに応じたビットマップ画像データベース７に格納されているカレンダー種別を自動的に判別、利用することも可能である。この場合、国に応じたカレンダーの背景を選択してもよい。
【００４５】
また、画像処理ブロック８で合成されるカレンダー画像データが一定時間後に表示ブロック９で非表示となった状態でも、ユーザーが各種項目設定スイッチ３を用いて機能選択スイッチ等の操作により表示を要求すれば、随時表示を一定時間表示することが可能である。そして、ユーザーは、各種項目設定スイッチ３を用いて機能選択スイッチの操作により、従来技術の日付や時刻等のデータを再生画面に表示することもできる。
更に、出力対象としては、機器が内蔵する表示ブロック９表示部だけでなく、出力ブロック１１により有線接続、無線接続による他機器に対するアナログ、デジタル伝送を含むようにすることも可能である。
【図面の簡単な説明】
【００４６】
【図１】本発明による映像再生装置のハードウェア構成を示すブロック図である。
【図２】本発明の映像再生装置の動作を示すフローチャートの例を示す図である。
【図３】本発明による日付時計表示モードオフ選択時の連続再生中の日付の変わり目の映像の例を示す図である。
【図４】本発明による日付時計表示モードオン選択時の連続再生中の日付の変わり目の映像の例を示す図である。
【図５】本発明で用いられる画像処理ブロック中の描画プレーンの構成例を示す図である。
【図６】従来の日付時計表示オフ選択時の映像の例を示す図である。
【図７】従来の日付時計表示オン選択時の映像の例を示す図である。
【図８】従来の日付時計表示オン選択時の連続再生中の日付の変わり目の映像の例を示す図である。
【符号の説明】
【００４７】
１…映像・音声制御ブロック、２…サブコードブロック、３…各種項目設定スイッチ、４…暦・時計制御ブロック、５…コントローラー、６…キャラクターデータベース、７…ビットマップ画像データベース、８…画像処理ブロック、９…表示ブロック、１０…メモリブロック、１１…出力ブロック
【図１】
2006180232.tif 000003
【図２】
2006180232.tif 000004
【図３】
2006180232.tif 000005
【図４】
2006180232.tif 000006
【図５】
2006180232.tif 000007
【図６】
2006180232.tif 000008
【図７】
2006180232.tif 000009
【図８】
2006180232.tif 000010